(57)【要約】【課題】森林管理で使用するエンジン駆動のチェーンソーや草刈機はエンジン音の騒音対策が不十分である。この様な飛散騒音環境作業には安全のためシールド付のヘルメットに加え防音用のイヤーマフの装着が望ましい。しかしイヤーマフの脱着の煩わしさから装着しないことが多い。この場合意識しないまま難聴が進行することが心配され課題となる。【解決手段】ヘルメット１６に取り付けられたシールド１を上げると引っ張りアーム１３によりイヤーマフフレーム４がシールド１と逆方向の回転と共に外側に開きイヤーマフ３はヘルメット１６の後方に移動する。逆にシールド１を下げると引っ張りアーム１３によりイヤーマフフレーム４がシールド１と逆方向に回転し開いていたイヤーマフ３は閉じ、耳の位置でスプリング８によりヘルメット１６の内側に引っ張られる。こうしてイヤーマフ３を耳に適当な圧力で装着する。このようにシールド１とイヤーマフ３の動作を連動させる。【選択図】図５
2010018933.tif 000002
【特許請求の範囲】
【請求項１】
装着者の頭部を覆うヘルメット１６に取り付け台座５を介して取り付けるシールド１とイヤーマフ３との連動機構において、シールドフレーム２とイヤーマフフレーム４と該イヤーマフフレーム４に取り付けられたヒンジ６と前記取り付け台座５の上に形成されたアームレール１０と該アームレール１０で摺動するスライド９と、該スライド９と前記シールドフレーム２に各端を回転自在に取り付けられた引っ張りアーム１３と、該スライド９と前記イヤーマフフレーム４に各端を回転自在に取り付けられた回転アーム１１と押し上げアーム１２とからなる機構を特徴とする前記シールド１と前記イヤーマフ３の機構。
【請求項２】
前記シールド１と前記イヤーマフ３との連動機構において、前記シールドフレーム２と前記イヤーマフフレーム４に形成されたスプリングレール１４と、該スプリングレール１４と前記シールドフレーム２に各端を回転自在に取り付けられたスプリング８とからなる機構を特徴とする前記シールド１と前記イヤーマフ３の機構。
【発明の詳細な説明】
【技術分野】
【００１】  本発明は飛散騒音環境下で使用されるヘルメットのシールドと遮音を目的としたイヤーマフに関するものである。
【背景技術】
【００２】  従来イヤーマフは騒音環境下で作業者の難聴化を防止するため遮音を目的として用いられるものであり、ヘッドホンの様に頭からかぶる構造が一般的である。【００３】  また飛散物を伴う騒音環境化ではシールド付ヘルメットの装着と共にイヤーマフを装着することが一般的である。ここで従来の技術ではイヤーマフを左右に個別に前記ヘルメットに取り付けて置くか、ヘッドホンの様に前記ヘルメットの上からかぶる構造となる。
【発明の開示】
【発明が解決しようとする課題】
【００４】  しかしながら、上述でのヘルメットの脱着については、まずイヤーマフとシールドが直接装備されているヘルメットにおいてはシールドを上げイヤーマフを広げて脱着することになる。またイヤーマフがヘッドホンの様な形のものではイヤーマフを両手で脱着しなければならない。また作業を中断して人と会話をする時は、その都度イヤーマフを取り外す場合は両手で外さなくてはならない。さらに作業再開時には再度両手でイヤーマフを装着しなければならない。【００５】  このように従来のイヤーマフの取り扱いは両手で脱着することになり脱着時間と操作に負担が掛かりその煩わしさから使用をためらうという課題があった。
【課題を解決するための手段】
【００６】  上記課題を解決するために請求項１の発明は、装着者の頭部を覆うヘルメット１６に取り付け台座５を介して取り付けるシールド１とイヤーマフ３との連動機構において、シールドフレーム２とイヤーマフフレーム４と該イヤーマフフレーム４に取り付けられたヒンジ６と前記取り付け台座５の上に形成されたアームレール１０と該アームレール１０で摺動するスライド９と、該スライド９と前記シールドフレーム２に各端を回転自在に取り付けられた引っ張りアーム１３と、該スライド９と前記イヤーマフフレーム４に各端を回転自在に取り付けられた回転アーム１１と押し上げアーム１２とからなる機構を特徴とする前記シールド１と前記イヤーマフ３の機構。【００７】  この機構によれば、前記シールド１を上げると、連動して前記引っ張りアーム１３が前記スライド９を引っ張る。この時前記回転アーム１１が前記イヤーマフフレーム４を回転軸７を支点として前記イヤーマフフレーム４を前記ヘルメット１６上方に回転させる。同時に前記押し上げアーム１２は前記イヤーマフフレーム４を前記ヘルメット１６の外側にめくり上げる。前記シールド１を最上点まで上げると前記イヤーマフ３は前記ヘルメット１６の後方に移動し停止する。【００８】  請求項２の発明は、前記シールド１と前記イヤーマフ３との連動機構において、前記シールドフレーム２と前記イヤーマフフレーム４に形成されたスプリングレール１４と、該スプリングレール１４と前記シールドフレーム２に各端を取り付けられたスプリング８とからなる機構を特徴とする前記シールド１と前記イヤーマフ３の機構。【００９】  この機構によれば、前記シールド１を上げている状態から下げる動作に連動して前記シールドフレーム２に一端を取り付けられた前記スプリング８はもう一端が前記スプリングレール１４に取り付けられており、前記ヒンジ６のヒンジ軸受け１５から離れる方向に移動し、該スプリング８が前記シールドフレーム２に引っ張られて前記イヤーマフフレーム４を前記ヘルメット１６の内側に引っ張り前記イヤーマフ３を耳に押し当てる。また逆に前記シールド１を下げている状態から上げる動作においては、該スプリング８は連動して前記スプリングレール１４の前記ヒンジ軸受け１５側に移動し緩むために耳を押さえていた前記イヤーマフフレーム４は耳から離れ、前記イヤーマフ３は上に回転する。
【発明の効果】
【０１０】  請求項１の発明によれば、片手で前記シールド１を上げ下げすることで前記イヤーマフ３も両耳から前記ヘルメット１６の上方且つ後方に移動ができる。請求項２の発明によれば、片手で前記シールド１を下げることで前記イヤーマフ３が適当な圧力で両耳を覆うことができる。このように片手でシールドを操作することで簡便にイヤーマフの開放と装着ができるので、騒音環境下での作業を煩わせることを減少できる。
【発明を実施するための最良の形態】
【０１１】  本発明を実施するための最良の形態を添付図に基づいて以下に説明する。【０１２】  図３は本発明の機構を装着したヘルメット１６である。前記ヘルメット１６には前記取り付け台座５を介して前記機構を装着する構造である。【０１３】  ここで本発明の機構の内、シールド１を上げる時の動作について図５を基に説明する。前記シールドフレーム２には前記引っ張りアーム１３が回転自在に取り付けてある。ここで図８について、前記イヤーマフフレーム４には前記ヒンジ６が取り付けてあり回転自在となっている。該ヒンジ６は前記取り付け台座５に回転軸７にて回転自在に取り付けられている。ここで図１０と図１２について、該取り付け台座５の上には前記アームレール１０が形成されおり前記スライド９が摺動可動できる。該スライド９と前記イヤーマフフレーム４は、前記回転アーム１１の各端と前記押し上げアーム１２の各端を回転自在に取り付けられている。また該スライド９と前記シールドフレーム２とは前記引張りアーム１３の各端と回転自在に取り付けられている。ここで該回転アーム１１の一端は前記ヒンジ軸受け１５の延長軸側に位置するため、前記イヤーマフフレーム４を回転させることができる。また該押し上げアーム１２の一端は前記ヒンジ軸受け１５から離れた軸側に位置するため、前記イヤーマフフレーム４をめくり上げることができる。【０１４】  ここで動作について図５を基に説明する。図５について、前記スプリング８は各端が前記シールドフレーム２と前記イヤーマフフレーム４に形成された前記スプリングレール１４に取り付けられており、前記シールドフレーム２は前記イヤーマフフレーム４を該スプリング８により引っ張っている。前記シールドフレーム２を上げると該スプリング８は前記スプリングレール１４の前記ヒンジ軸受け１５側に移動し該スプリング８は緩んで前記イヤーマフフレーム４は可動が容易になる。また前記シールドフレーム２を上げると前記引っ張りアーム１３により前記スライド９が引っ張られる。このとき、該スライド９に取り付けてある前記回転アーム１１と前記押し上げアーム１２は同時に引っ張られ、該回転アーム１１は前記イヤーマフフレーム４を前記回転軸７を中心に前記シールドフレーム２と逆方向に回転し前記ヘルメット１６の上方に動く。さらに該押し上げアーム１２は前記イヤーマフフレーム４を前記ヘルメット１６の外側にめくり上げる。ここで図２について、前記シールドフレーム２が最上位置に来ると前記イヤーマフフレーム４は前記ヘルメット１６の後方に移動し停止する。これを図４に示す。【０１５】  次に本発明の機構の内、前記シールド１を下げる動作について説明する。このときの動きは前記シールドフレーム２を上げる動作の逆となる。【０１６】  ここで動作について図６を基に説明する。図６について、前記シールドフレーム２を下げると前記引っ張りアーム１３は前記スライド９を押す。このとき、該スライド９に取り付けてある前記回転アーム１１と前記押し上げアーム１２も同時に押され、該回転アーム１１は前記イヤーマフフレーム４を前記回転軸７を中心に前記シールドフレーム２と逆方向に回転させ前記ヘルメット１６の下方に動かす。さらに前記押し上げアーム１２は前記フレームアーム４を前記ヘルメット１６の内側に引き下げる。ここで図１１について、前記スプリング８は前記シールドフレーム４が下がると前記スプリングレール１４を前記ヒンジ軸受け１５側から離れる方向に移動し前記イヤーマフフレーム４を引っ張る。ここで図１について、前記シールドフレーム２が最下位置に来ると前記イヤーマフフレーム４は前記ヘルメット１６の耳の位置に移動し停止する。
【実施形態の効果】
【０１７】  このように本発明の機構によればイヤーマフの上げ下げはシールドを方手で操作すれば簡便にできるので、森林でのエンジン動力のチェーンソーを使う作業や山野でのエンジン動力の草刈機を使う作業などの飛散騒音環境での作業に最適である。
【図面の簡単な説明】
【０１８】
【図１】本発明に係る機構を装着したヘルメットの側面図である。
【図２】本発明に係る機構を装着したヘルメットのシールドを上げた作用図である。
【図３】本発明に係る機構を装着したヘルメットの正面図。
【図４】本発明に係る機構を装着したヘルメットの上面作用図
【図５】本発明に係る機構の側面図。
【図６】本発明に係る機構のシールドフレームを上げた作用図。
【図７】本発明に係る機構のシールドフレームを上げた上面作用図
【図８】イヤーマフフレームにヒンジを取り付けた正面図
【図９】取り付け台座の正面図
【図１０】取り付け台座に形成されたアームレールの側面図
【図１１】本発明に係る機構のシールドフレームを下げた正面図
【図１２】スライドの斜視図
【符号の説明】
【０１９】１  シールド
３  シールドフレーム
４  イヤーマフ
５  イヤーマフフレーム
６  取り付け台座
７  ヒンジ
８  回転軸
９  スプリング
１０  スライド
１１  アームレール
１２  回転アーム
１３  押し上げアーム
１４  引っ張りアーム
１５  スプリングレール
１６  ヒンジ軸受け
１７  ヘルメット
【図１】
2010018933.tif 000003
【図２】
2010018933.tif 000004
【図３】
2010018933.tif 000005
【図４】
2010018933.tif 000006
【図５】
2010018933.tif 000007
【図６】
2010018933.tif 000008
【図７】
2010018933.tif 000009
【図８】
2010018933.tif 000010
【図９】
2010018933.tif 000011
【図１０】
2010018933.tif 000012
【図１１】
2010018933.tif 000013
【図１２】
2010018933.tif 000014